【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
ワイヤレス通信ネットワークであって、以下を有する、
複数のモバイル無線ユニット（ＭＲＵ）、及び
ワイヤレス通信によって互いに接続されるとともに、そのそれぞれが関連するカバレージ領域を有する複数の固定無線ユニット（ＦＲＵ）、ここで、各ＦＲＵは、その関連するカバレージ領域内に位置する他のＦＲＵと通信可能であり、各ＦＲＵは、更に、その関連するカバレージ領域内に位置する単数又は複数のＭＲＵと通信可能であり、ここで、各ＦＲＵは、その関連するカバレージ領域内に位置する他のＦＲＵに関するルーチング情報を収集するように構成されている、
ここで、ソースＭＲＵは、目的地ＦＲＵとの通信を確立するように向けられ、前記ソースＭＲＵは、前記目的地ＦＲＵに関連するカバレージ領域の外部に位置し、単数又は複数のＦＲＵを含む単数又は複数の中間ユニットを使用して、これら単数又は複数のＦＲＵを含む中間ユニットを介して、前記ソースＭＲＵが前記目的地ＦＲＵと間の通信ルートが確立される。
【請求項２】
請求項１のワイヤレス通信ネットワークであって、更に以下を有する、
前記複数のＦＲＵに相互接続される追加のＦＲＵ、この追加ＦＲＵは関連するカバレージ領域を有する、
ここで、前記複数のＦＲＵを相互接続するために、前記追加ＦＲＵは、その関連するカバレージ領域内に位置する他のＦＲＵに関するルーチング情報を収集し、それ自身の同定情報を生成し、この生成された同定情報を、その関連するカバレージ領域内に位置する他のＦＲＵに放送する、そして
ここで、一旦相互接続されると、前記追加ＦＲＵは、必要な場合、前記通信ルートの一部である前記単数又は複数の中間ユニットの１つとして利用可能となる。
【請求項３】
請求項１のワイヤレス通信ネットワークであって、前記ソースＭＲＵと前記目的地ＦＲＵとの間の通信セッション中、前記通信ルートの一部である前記単数又は複数の中間ユニットは、前記通信ルートを最適化された状態に維持するために置き換えられる。
【請求項４】
請求項３のワイヤレス通信ネットワークであって、前記単数又は複数の中間ユニットは、単数又は複数の条件に基づいて置き換えられる。
【請求項５】
請求項４のワイヤレス通信ネットワークであって、前記単数又は複数の条件は、トラフィック負荷のレベルを含む。
【請求項６】
請求項４のワイヤレス通信ネットワークであって、前記単数又は複数の条件は、送信品質を含む。
【請求項７】
請求項４のワイヤレス通信ネットワークであって、前記単数又は複数の条件は、サービスのレベル又は品質を含む。
【請求項８】
請求項１のワイヤレス通信ネットワークであって、前記単数又は複数の中間ユニットは単数又は複数のＭＲＵを含む。
【請求項９】
請求項１のワイヤレス通信ネットワークであって、前記目的地ＦＲＵは、前記ソースＭＲＵに対してのみアクセス可能なクローズドドメイン情報を含み、そして
セキュリティ情報が格納されたセキュアトークンを使用して、前記ソースＭＲＵが前記クローズドドメイン情報にアクセスすることを許容するべく、前記ソースＭＲＵを前記目的地ＦＲＵに対して認証する。
【請求項１０】
請求項９のワイヤレス通信ネットワークであって、前記セキュアトークンは、スマートカード、加入者識別モジュールカード（ｓｕｂｓｃｒｉｂｅｒ  ｉｄｅｎｔｉｔｙ  ｍｏｄｕｌｅ（ＳＩＭ）  ｃａｒｄ）、及び認証装置のいずれか１つを含む。
【請求項１１】
請求項９のワイヤレス通信ネットワークであって、前記ソースＭＲＵの前記認証は、ロケーション依存である。
【請求項１２】
請求項１のワイヤレス通信ネットワークであって、前記目的地ＦＲＵは、そのそれぞれが前記ソースＭＲＵがあるエンティティと通信することを可能に構成される単数又は複数の固定接続を含む。
【請求項１３】
請求項１２のワイヤレス通信ネットワークであって、前記エンティティは、記憶装置、アプリケーション、ワイヤレスネットワーク、及び固定ネットワークのいずれか１つを含む。
【請求項１４】
請求項１３のワイヤレス通信ネットワークであって、前記記憶装置は、ハードドライブ及びＤＶＤドライブのいずれかを含む。
【請求項１５】
請求項１３のワイヤレス通信ネットワークであって、前記アプリケーションは、ゲームアプリケーション及びユーティリティーアプリケーションのいずれかを含む。
【請求項１６】
請求項１３のワイヤレス通信ネットワークであって、
前記固定ネットワークは、公衆交換電話網、総合サービスデジタル網及びインターネットのいずれか１つを含む。
【請求項１７】
請求項１３のワイヤレス通信ネットワークであって、前記ワイヤレスネットワークは、ワイヤレスローカルエリアネットワーク、公衆地上モバイル網（ｐｕｂｌｉｃ  ｌａｎｄ
ｍｏｂｉｌｅ  ｎｅｔｗｏｒｋ）及びセルラーネットワークのいずれか１つを含む。
【請求項１８】
請求項１のワイヤレス通信ネットワークであって、前記通信ルートは、中間ユニットの最少数又は、所定の閾値に等しい又はそれ以下である、単数又は複数の中間ユニットを含むように最適化される。
【請求項１９】
請求項１のワイヤレス通信ネットワークであって、単数又は複数の中間ユニットは、いかにしてトラフィックを前記通信ルートに沿って転送するかを決定するために、他のＦＲＵに関して収集された前記ルーチング情報を利用する。
【請求項２０】
請求項１のワイヤレス通信ネットワークであって、前記通信ルートのための前記単数又は複数の中間ユニットは、単数又は複数の条件に基づいて選択される。
【請求項２１】
請求項２０のワイヤレス通信ネットワークであって、第１の中間ユニットが、第１条件に基づいて前記通信ルートに含まれ、
第２の中間ユニットが、第２条件に基づいて前記通信ルートに含まれ、そして
前記第１条件は前記第２条件と異なる。
【請求項２２】
請求項２０のワイヤレス通信ネットワークであって、前記単数又は複数の条件は、単数又は複数の中間ユニットに関連するトラフィック負荷のレベルを含む。
【請求項２３】
請求項２０のワイヤレス通信ネットワークであって、前記単数又は複数の条件は、単数又は複数の中間ユニットに関連する送信品質を含む。
【請求項２４】
請求項２０のワイヤレス通信ネットワークであって、前記単数又は複数の条件は、前記ソースＭＲＵと前記目的地ＦＲＵとの間の通信に使用されるサービスのレベル又は品質を含む。
【請求項２５】
請求項１のワイヤレス通信ネットワークであって、前記ネットワークにおけるトラフィックは、ピアツーピア分散方式でルーチングされる。
【請求項２６】
請求項１のワイヤレス通信ネットワークであって、前記ネットワークにおけるトラフィックは、セキュアエンドツーエンド方式でルーチングされる。
【請求項２７】
請求項１のワイヤレス通信ネットワークであって、第１中間ユニットによってルーチングされるトラフィックは暗号化され、第２中間ユニットによってルーチングされるトラフィックは暗号化されない。
【請求項２８】
複数のモバイル無線ユニット（ＭＲＵ）と、無線通信によって互いに接続された複数の固定無線ユニット（ＦＲＵ）とを有するワイヤレス通信ネットワークを管理する方法であって、各ＦＲＵが関連するカバレージ領域を有し、各ＦＲＵが、その関連するカバレージ領域内に位置する他のＦＲＵと通信可能で、各ＦＲＵが更に、その関連するカバレージ領域内に位置する単数又は複数のＭＲＵと通信も可能で、各ＦＲＵがその関連するカバレージ領域内に位置する他のＦＲＵに関連するルーチング情報を収集するように構成されているものにおいて、前記方法は以下の工程を有する、
目的地ＦＲＵとの通信を確立するべくソースＭＲＵを向ける意思表示（ｉｎｄｉｃａｔｉｏｎ）を受け取る、ここで、前記ソースＭＲＵは前記目的地ＦＲＵに関連する前記カバレージ領域の外部に位置する、そして
単数又は複数のＦＲＵを含む単数又は複数の中間ユニットを使用して、これら単数又は複数の中間ユニットを介して、前記ソースＭＲＵが前記目的地ＦＲＵと通信することを可能にするべく通信ルートを確立する。
【請求項２９】
請求項２８の方法であって、更に以下の工程を有する、
前記複数のＦＲＵに対して相互接続される追加ＦＲＵを追加する、前記追加ＦＲＵは関連するカバレージ領域を有する。
【請求項３０】
請求項２９の方法であって、前記追加ＦＲＵを追加する工程は更に以下の工程を含む、
前記追加ＦＲＵに、その関連するカバレージ領域内に位置する他のＦＲＵに関するルーチング情報を収集させる。
【請求項３１】
請求項３０の方法であって、前記追加ＦＲＵを追加する工程は更に以下の工程を含む、
前記追加ＦＲＵにそれ自身の同定情報を生成させる、そして
前記生成された同定情報を、その関連するカバレージ領域内に位置する他のＦＲＵに対して放送する、
ここで、一旦相互接続されると、前記追加ＦＲＵは、必要な場合、前記通信ルートの一部である前記単数又は複数の中間ユニットの１つとして利用可能となる。
【請求項３２】
請求項２９の方法であって、更に以下の工程を含む、
前記ソースＭＲＵと前記目的地ＦＲＵとの間の通信セッション中、前記通信ルートの一部である前記単数又は複数の中間ユニットを置き換えて、前記通信ルートを最適化された状態に維持する。
【請求項３３】
請求項３２の方法であって、前記単数又は複数の中間ユニットは、単数又は複数の条件に基づいて置き換えられる。
【請求項３４】
請求項３３の方法であって、前記単数又は複数の条件は、トラフィック負荷のレベルを含む。
【請求項３５】
請求項３３の方法であって、前記単数又は複数の条件は、送信品質を含む。
【請求項３６】
請求項３３の方法であって、前記単数又は複数の条件は、サービスのレベル又は品質を含む。
【請求項３７】
請求項２８の方法であって、前記単数又は複数の中間ユニットは単数又は複数のＭＲＵを含む。
【請求項３８】
請求項２８の方法であって、前記目的地ＦＲＵは、前記ソースＭＲＵに対してのみアクセス可能なクローズドドメイン情報を含み、そして
セキュリティ情報が格納されたセキュアトークンを使用して、前記ソースＭＲＵが前記クローズドドメイン情報にアクセスすることを許容するべく、前記ソースＭＲＵを前記目的地ＦＲＵに対して認証する。
【請求項３９】
請求項３８の方法であって、前記セキュアトークンは、スマートカード、加入者識別モジュールカード（ｓｕｂｓｃｒｉｂｅｒ  ｉｄｅｎｔｉｔｙ  ｍｏｄｕｌｅ（ＳＩＭ）  ｃａｒｄ）、及び認証装置のいずれか１つを含む。
【請求項４０】
請求項３８の方法であって、前記ソースＭＲＵの前記認証は、ロケーション依存である。
【請求項４１】
請求項２８の方法であって、前記目的地ＦＲＵは、そのそれぞれが前記ソースＭＲＵがあるエンティティと通信することを可能に構成される単数又は複数の固定接続を含む。
【請求項４２】
請求項４１の方法であって、前記エンティティは、記憶装置、アプリケーション、ワイヤレスネットワーク、及び固定ネットワークのいずれか１つを含む。
【請求項４３】
請求項４２の方法であって、前記記憶装置は、ハードドライブ及びＤＶＤドライブのいずれかを含む。
【請求項４４】
請求項４１の方法であって、前記アプリケーションは、ゲームアプリケーション及びユーティリティーアプリケーションのいずれかを含む。
【請求項４５】
請求項４１の方法あって、前記固定ネットワークは、公衆交換電話網、総合サービスデジタル網及びインターネットのいずれか１つを含む。
【請求項４６】
請求項４１の方法であって、前記ワイヤレスネットワークは、ワイヤレスローカルエリアネットワーク、公衆地上モバイル網（ｐｕｂｌｉｃ  ｌａｎｄ  ｍｏｂｉｌｅ  ｎｅｔｗｏｒｋ（ＰＬＭＮ））及びセルラーネットワークのいずれか１つを含む。
【請求項４７】
請求項２８の方法であって、前記通信ルートは、中間ユニットの最少数又は、所定の閾値に等しい又はそれ以下である、単数又は複数の中間ユニットを含むように最適化される。
【請求項４８】
請求項２８の方法であって、単数又は複数の中間ユニットは、いかにしてトラフィックを前記通信ルートに沿って転送するかを決定するために、他のＦＲＵに関して収集された前記ルーチング情報を利用する。
【請求項４９】
請求項２８の方法であって、単数又は複数の中間ユニットは、いかにしてトラフィックを前記通信ルートに沿って転送するかを決定するために、他のＭＲＵに関して収集された前記ルーチング情報を利用する。
【請求項５０】
請求項２８の方法であって、単数又は複数の中間ユニットは、いかにしてトラフィックを前記通信ルートに沿って転送するかを決定するために、他のＦＲＵ及びＭＲＵに関して収集された前記ルーチング情報を利用する。
【請求項５１】
請求項２８の方法であって、前記通信ルートのための前記単数又は複数の中間ユニットは、単数又は複数の条件に基づいて選択される。
【請求項５２】
請求項５１の方法であって、第１の中間ユニットが、第１条件に基づいて選択され、
第２の中間ユニットが、第２条件に基づいて選択され、そして
前記第１条件は前記第２条件と異なる。
【請求項５３】
請求項５１の方法であって、前記単数又は複数の条件は、単数又は複数の中間ユニットに関連するトラフィック負荷のレベルを含む。
【請求項５４】
請求項５１の方法であって、前記単数又は複数の条件は、単数又は複数の中間ユニットに関連する送信品質を含む。
【請求項５５】
請求項５１の方法であって、前記単数又は複数の条件は、前記ソースＭＲＵと前記目的地ＦＲＵとの間の通信に使用されるサービスのレベル又は品質を含む。
【請求項５６】
請求項２８の方法であって、トラフィックは、ピアツーピア分散方式で前記通信ルートに沿ってルーチングされる。
【請求項５７】
請求項２８の方法であって、トラフィックは、セキュアエンドツーエンド式で前記通信ルートに沿ってルーチングされる。
【請求項５８】
請求項２８の方法であって、第１中間ユニットによってルーチングされるトラフィックは暗号化され、第２中間ユニットによってルーチングされるトラフィックは暗号化されない。
【請求項５９】
マルチホップワイヤレス通信ネットワークであって、以下を有する、
ソースノードを備える単数又は複数のモバイル無線ユニット（ＭＲＵ）、そして
目的地ノードと、前記ソースノードと目的地ノードとの間のマルチホップ経路に沿った中間ノードとして作用するように構成された単数又は複数のその他のノードとを備える複数の固定モバイル無線ユニット（ＦＲＵ）、
ここで、前記ソースノードは、前記ソースノードと前記目的地ノードとの間の第１マルチホップ経路における中間ノードとして作用するように構成された第１ＦＲＵから、前記ソースノードと前記目的地ノードとの間の第２マルチホップ経路における中間ノードとして作用するように構成された第２ＦＲＵへと選択を動的に変化するように構成され、前記第２マルチホップ経路は、前記第１マルチホップ経路において作用するように構成された前記ＦＲＵと異なる少なくとも１つのＦＲＵを備える。
【請求項６０】
請求項５９のマルチホップワイヤレス通信ネットワークであって、前記ソースノードは、所望のサービス品質（ＱｏＳ）提供を維持することを試みて、前記第１ＦＲＵから前記第２ＦＲＵへと選択を動的に変化するように作動可能である。
【請求項６１】
請求項５９のマルチホップワイヤレス通信ネットワークであって、前記ソースノードは、サービス品質（ＱｏＳ）提供における変化に応答して、前記第１ＦＲＵから前記第２ＦＲＵへと選択を動的に変化するように構成されている。
【請求項６２】
請求項５９のマルチホップワイヤレス通信ネットワークであって、前記ソースノードは、二つ以上のサービス品質（ＱｏＳ）提供間の優先順位の変化に応答して、前記第１ＦＲＵから前記第２ＦＲＵへと選択を動的に変化するように構成されている。
【請求項６３】
請求項５９のマルチホップワイヤレス通信ネットワークであって、前記ソースノードは、第１サービス品質（ＱｏＳ）提供から第２サービス品質（ＱｏＳ）提供への変化に基づいて、前記第１ＦＲＵから前記第２ＦＲＵへと選択を動的に変化するように構成されている。
【請求項６４】
請求項５９のマルチホップワイヤレス通信ネットワークであって、前記ソースノードは、該ソースノードと前記目的地ノードとの間の通信接続を維持するために、前記第１ＦＲＵから前記第２ＦＲＵへと選択を動的に変化するように構成されている。
【請求項６５】
請求項５９のマルチホップワイヤレス通信ネットワークであって、前記ソースノードは、前記複数のＦＲＵのうちの単数又は複数のＦＲＵに対する前記ソースノードの位置の変化に基づいて、前記第１ＦＲＵから前記第２ＦＲＵへと選択を動的に変化するように構成されている。
【請求項６６】
請求項６５のマルチホップワイヤレス通信ネットワークであって、前記ソースノードは、前記ソースノードと前記目的地ノードとの間のホップの数を減少させるために、前記第１ＦＲＵから前記第２ＦＲＵへと選択を動的に変化するように構成されている。
【請求項６７】
請求項５９のマルチホップワイヤレス通信ネットワークであって、前記ソースノードは、前記ネットワークの渋滞を減少させるために、前記第１ＦＲＵから前記第２ＦＲＵへと選択を動的に変化するように構成されている。
【請求項６８】
請求項５９のマルチホップワイヤレス通信ネットワークであって、前記ソースノードは、前記第１マルチホップ経路における中間ノードが経験するトラフィック負荷を減少させるために、前記第１ＦＲＵから前記第２ＦＲＵへと選択を動的に変化するように構成されている。
【請求項６９】
請求項５９のマルチホップワイヤレス通信ネットワークであって、前記ソースノードは、前記第１マルチホップ経路における無線ユニット間の無線リンク品質の変化に基づいて、前記第１ＦＲＵから前記第２ＦＲＵへと選択を動的に変化するように構成されている。
【請求項７０】
請求項５９のマルチホップワイヤレス通信ネットワークであって、前記目的地ノードは、前記ソースノードに対してのみアクセス可能なドメイン情報を含む。
【請求項７１】
請求項７０のマルチホップワイヤレス通信ネットワークであって、前記第１マルチホップ経路又は前記第２マルチホップ経路の前記中間ノードの単数又は複数は、前記ソースノードに対してアクセス不能なドメイン情報を含む。
【請求項７２】
請求項７０のマルチホップワイヤレス通信ネットワークであって、前記ソースノードが前記ドメイン情報にアクセスすることを許容するために、セキュリティ情報を格納したセキュアトークンを使用して、前記ソースノードを前記目的地ノードに対して認証する。
【請求項７３】
請求項７２のマルチホップワイヤレス通信ネットワークであって、前記セキュアトークンは、スマートカード、加入者識別モジュール（ｓｕｂｓｃｒｉｂｅｒ  ｉｄｅｎｔｉｔｙ  ｍｏｄｕｌｅ）、及び認証装置のいずれか１つを含む。
【請求項７４】
請求項５９のマルチホップワイヤレス通信ネットワークであって、前記目的地ノードは、そのそれぞれが前記ソースノードがエンティティと通信することを可能にするように構成された単数又は複数の固定接続を有する。
【請求項７５】
請求項７４のマルチホップワイヤレス通信ネットワークであって、前記エンティティは、記憶装置、アプリケーション、ワイヤレスネットワーク及び固定ネットワークのいずれか１つを含む。
【請求項７６】
請求項７５のマルチホップワイヤレス通信ネットワークであって、前記記憶装置は、ハードドライブ、ＣＤ−ＲＯＭドライブ及びＤＶＤドライブのいずれか１つを含む。
【請求項７７】
請求項７５のマルチホップワイヤレス通信ネットワークであって、前記アプリケーションは、ゲームアプリケーション及びユーティリティーアプリケーションのいずれか１つを含む。
【請求項７８】
請求項７５のマルチホップワイヤレス通信ネットワークであって、前記固定ネットワークは、公衆電話網、総合サービスデジタル網及びインターネットのいずれか１つを含む。
【請求項７９】
請求項７５のマルチホップワイヤレス通信ネットワークであって、前記ワイヤレスネットワークは、公衆地上モバイル網（ｐｕｂｌｉｃ  ｌａｎｄ  ｍｏｂｉｌｅ  ｎｅｔｗｏｒｋ）、ワイヤレスローカルエリアネットワーク、及びセルラーネットワークのいずれか１つを含む。
【請求項８０】
請求項５９のマルチホップワイヤレス通信ネットワークであって、前記第１及び第２マルチホップ経路のいずれか一方又は両方に沿ったトラフィックは、ピアツーピア分散式に通信される。
【請求項８１】
請求項５９のマルチホップワイヤレス通信ネットワークであって、前記第１及び第２マルチホップ経路のいずれか一方又は両方に沿ってルーチングされるトラフィックは、セキュアエンドツーエンド式に通信される。
【請求項８２】
請求項５９のマルチホップワイヤレス通信ネットワークであって、前記第１マルチホップ経路の少なくとも一部に沿ってルーチングされるトラフィックは暗号化され、前記第２マルチホップ経路の少なくとも一部に沿ってルーチングされるトラフィックは暗号化されない。
【請求項８３】
単数又は複数の固定無線ユニット（ＦＲＵ）と単数又は複数のモバイル無線ユニット（ＭＲＵ）とを備えるワイヤレス通信ネットワークにおいてソースノードと目的地との間で通信する方法であって、以下の工程を含む、
ソース無線ユニットと目的地無線ユニットとの間の第１マルチホップ経路を決定するためにルーチングアルゴリズムを実行する工程であって、前記第１マルチホップ経路は、前記ソース無線ユニットと目的地無線ユニットとの間に構成された単数又は複数の中間無線ユニットを備える工程、そして
前記ソース無線ユニットと目的地無線ユニットとの間に第２マルチホップ経路を形成するために、前記第１マルチホップ経路の前記中間無線ユニットのうちの単数又は複数を、単数又は複数の別の中間無線ユニットと動的に置換する工程。
【請求項８４】
請求項８３の方法であって、前記第２マルチホップ経路を形成するために前記第１マルチホップ経路の前記中間無線ユニットのうちの単数又は複数を、単数又は複数の別の中間無線ユニットと動的に置換する前記工程は、前記ワイヤレス通信ネットワークのトポロジーの変化に応答して行われる。
【請求項８５】
請求項８３の方法であって、前記第２マルチホップ経路を形成するために前記第１マルチホップ経路の前記中間無線ユニットのうちの単数又は複数を、単数又は複数の別の中間無線ユニットと動的に置換する前記工程は、所望のサービス品質（ＱｏＳ）提供を維持することを試みて行われる。
【請求項８６】
請求項８３の方法であって、前記第２マルチホップ経路を形成するために前記第１マルチホップ経路の前記中間無線ユニットのうちの単数又は複数を、単数又は複数の別の中間無線ユニットと動的に置換する前記工程は、サービス品質（ＱｏＳ）提供の変化に応答して行われる。
【請求項８７】
請求項８３の方法であって、前記第２マルチホップ経路を形成するために前記第１マルチホップ経路の前記中間無線ユニットのうちの単数又は複数を、単数又は複数の別の中間無線ユニットと動的に置換する前記工程は、二つ以上のサービス品質（ＱｏＳ）提供の優先順位の変化に応答して行われる。
【請求項８８】
請求項８３の方法であって、前記第２マルチホップ経路を形成するために前記第１マルチホップ経路の前記中間無線ユニットのうちの単数又は複数を、単数又は複数の別の中間無線ユニットと動的に置換する前記工程は、第１サービス品質（ＱｏＳ）提供から第２サービス品質（ＱｏＳ）提供への変化に基づいて行われる。
【請求項８９】
請求項８３の方法であって、前記第２マルチホップ経路を形成するために前記第１マルチホップ経路の前記中間無線ユニットのうちの単数又は複数を、単数又は複数の別の中間無線ユニットと動的に置換する前記工程は、前記ソース無線ユニットと前記目的地無線ユニットとの間の通信接続を維持するために行われる。
【請求項９０】
請求項８３の方法であって、前記ソース無線ユニットはＭＲＵを備え、前記第２マルチホップ経路を形成するために前記第１マルチホップ経路の前記中間無線ユニットのうちの単数又は複数を、単数又は複数の別の中間無線ユニットと動的に置換する前記工程は、前記ネットワークにおける単数又は複数の他の無線ユニットに対する前記ＭＲＵの位置の変化に基づいて行われる。
【請求項９１】
請求項９０の方法であって、前記第２マルチホップ経路を形成するために前記第１マルチホップ経路の前記中間無線ユニットのうちの単数又は複数を、単数又は複数の別の中間無線ユニットと動的に置換する前記工程は、前記ＭＲＵと前記目的地無線ユニットとの間のホップの数を減少させるために行われる。
【請求項９２】
請求項８３の方法であって、前記第２マルチホップ経路を形成するために前記第１マルチホップ経路の前記中間無線ユニットのうちの単数又は複数を、単数又は複数の別の中間無線ユニットと動的に置換する前記工程は、前記ネットワークにおける渋滞を減少させるために行われる。
【請求項９３】
請求項８３の方法であって、前記第２マルチホップ経路を形成するために前記第１マルチホップ経路の前記中間無線ユニットのうちの単数又は複数を、単数又は複数の別の中間無線ユニットと動的に置換する前記工程は、前記第１マルチホップ経路における中間無線ユニットが経験するトラフィック負荷を減少させるために行われる。
【請求項９４】
請求項８３の方法であって、前記第２マルチホップ経路を形成するために前記第１マルチホップ経路の前記中間無線ユニットのうちの単数又は複数を、単数又は複数の別の中間無線ユニットと動的に置換する前記工程は、前記第１マルチホップ経路における無線ユニット間の無線リンク品質の変化に基づいて行われる。
【請求項９５】
請求項８３の方法であって、前記目的地無線ユニットは、前記ソース無線ユニットに対してのみアクセス可能なドメイン情報を含む。
【請求項９６】
請求項９５の方法であって、前記第１マルチホップ経路又は前記第２マルチホップ経路の前記中間無線ユニットの単数又は複数は、前記ソース無線ユニットに対してアクセス不能なドメイン情報を含む。
【請求項９７】
請求項９５の方法であって、前記ソース無線ユニットが前記ドメイン情報にアクセスすることを許容するために、セキュリティ情報を格納したセキュアトークンを使用して、前記ソース無線ユニットを前記目的地無線ユニットに対して認証する。
【請求項９８】
請求項９７の方法であって、前記セキュアトークンは、スマートカード、加入者識別モジュール（ｓｕｂｓｃｒｉｂｅｒ  ｉｄｅｎｔｉｔｙ  ｍｏｄｕｌｅ）、及び認証装置のいずれか１つを含む。
【請求項９９】
請求項８３の方法であって、前記目的地無線ユニットは、そのそれぞれが前記ソース無線ユニットがエンティティと通信することを可能にするように構成された単数又は複数の固定接続を有する。
【請求項１００】
請求項９９の方法であって、前記エンティティは、記憶装置、アプリケーション、ワイヤレスネットワーク及び固定ネットワークのいずれか１つを含む。
【請求項１０１】
請求項１００の方法であって、前記記憶装置は、ハードドライブ、ＣＤ−ＲＯＭドライブ及びＤＶＤドライブのいずれか１つを含む。
【請求項１０２】
請求項１００の方法であって、前記アプリケーションは、ゲームアプリケーション及びユーティリティーアプリケーションのいずれか１つを含む。
【請求項１０３】
請求項１００の方法であって、前記固定ネットワークは、公衆電話網、総合サービスデジタル網及びインターネットのいずれか１つを含む。
【請求項１０４】
請求項１００の方法であって、前記ワイヤレスネットワークは、公衆地上モバイル網（ｐｕｂｌｉｃ  ｌａｎｄ  ｍｏｂｉｌｅ  ｎｅｔｗｏｒｋ）、ワイヤレスローカルエリアネットワーク、及びセルラーネットワークのいずれか１つを含む。
【請求項１０５】
請求項８３の方法であって、前記第１及び第２マルチホップ経路のいずれか一方又は両方に沿ったトラフィックは、ピアツーピア分散式に通信される。
【請求項１０６】
請求項８３の方法であって、前記第１及び第２マルチホップ経路のいずれか一方又は両方に沿ってルーチングされるトラフィックは、セキュアエンドツーエンド式に通信される。
【請求項１０７】
請求項８３の方法であって、前記第１マルチホップ経路の少なくとも一部に沿ってルーチングされるトラフィックは暗号化され、前記第２マルチホップ経路の少なくとも一部に沿ってルーチングされるトラフィックは暗号化されない。
【請求項１０８】
請求項８３の方法であって、前記第２マルチホップ経路を形成するために前記第１マルチホップ経路の前記中間無線ユニットのうちの単数又は複数を単数又は複数の別の中間無線ユニットと動的に置換する前記工程は、前記ソース無線ユニットから前記目的地無線ユニットへデータが伝送されている間に行われる。
【請求項１０９】
請求項１０８の方法であって、前記第２マルチホップ経路を形成するために前記第１マルチホップ経路の前記中間無線ユニットのうちの単数又は複数を、単数又は複数の別の中間無線ユニットと動的に置換する前記工程は、前記ソース無線ユニットから前記目的地無線ユニットへデータが伝送されている間に、これらソース無線ユニットと目的地無線ユニットとの間の通信の中断無く行われる。